(57)【特許請求の範囲】
【請求項１】
複数段の棚板と、前記複数段の棚板に設けられた複数の照明器具と、前記複数の棚板の背面側に設けられる背壁と、前記背壁の背面側に設けられた冷却通路と、を備えたショーケースにおいて、
前記冷却通路内の所定領域において、電源から延びる所定本数の電源ラインが冷気の流れ方向に沿って延設されるとともに、前記背壁には、前記電源ラインの複数箇所から前記背壁を貫通して前記各照明器具に電源を供給する導電端子を持つコネクタが設けられており、
前記導電端子は渡り端子であり、前記渡り端子の端部に一方向に向けて接続される電源ラインと、前記一方向とは反対の他方向に向けて接続される電源ラインがそれぞれ略直交して設けられることを特徴とするショーケース。
【請求項２】
前記所定本数の電源ラインが、前記冷却通路においてほぼ直線状に延設されるとともに、前記電源ラインは前記各照明器具に電源を供給する導電端子を持つコネクタにより前記背壁に固定されている
ことを特徴とする請求項１に記載のショーケース。
【請求項３】
前記コネクタは、前記電源ラインを延設方向に沿った状態で固定できる固定部材を備えている
ことを特徴とする請求項１又は２に記載のショーケース。
【請求項４】
前記固定部材には、前記電源ラインの延設方向に沿って取付溝が形成されている
ことを特徴とする請求項３に記載のショーケース。
【請求項５】
前記電源がＤＣ電源であるとともに、前記照明器具がＤＣ入力型のＬＥＤランプである
ことを特徴とする請求項１ないし４のいずれかに記載のショーケース。
【発明の詳細な説明】
【技術分野】
【０００１】
本発明は、スーパーマーケットやコンビニエンスストア等の店舗の食品売り場にて用いられ、冷凍・冷蔵食品等の物品を陳列するための複数の棚を有するショーケースに関する。
【背景技術】
【０００２】
従来のショーケースは、断面略コ字状の断熱壁の内側に設けられた背板の前方に冷凍・冷蔵食品等の物品を陳列するための複数の棚を有し、陳列された物品を照らすように蛍光灯が複数の棚毎に設けられている。蛍光灯への電源供給は、ショーケース外の安定器（交流電源）、安定器に接続される電源ライン、電源ラインの終端に接続された蛍光灯接続用のソケット、このソケットに装着される蛍光灯側プラグ、このプラブと蛍光灯を接続する蛍光灯ラインを介して行われている。また、蛍光灯接続用のソケットは、各棚の蛍光灯に対応して背板に上下方向に略等間隔で配置され、電源ラインは安定器から蛍光灯接続用のソケット毎に接続されている（例えば、特許文献１参照）。
【先行技術文献】
【特許文献】
【０００３】
【特許文献１】実公平３−３２９５６号公報（第３欄第４２行−第４欄第２６行、第１図−第２図）
【発明の概要】
【発明が解決しようとする課題】
【０００４】
特許文献１に示されるショーケースにあっては、蛍光灯への電源供給は、交流を供給する安定器から蛍光灯接続用のソケット毎に接続された電源ラインを用いている。このように蛍光灯用の交流電源を用いる場合、各蛍光灯に電源を供給するための配線がそれぞれの蛍光灯接続用のソケット又は蛍光灯に延びる配線構造を採用せざるを得ず、安定器側に近づくほど電源ラインの本数が多くなり、安定器側において束ねられた電源ラインは太くなる。
【０００５】
一般に、これら電源ラインは前記した背板の背面側、すなわちショーケースの冷却通路内に延設されており、安定器側において電源ラインが太くなり、またその太さが冷却通路内で区々に変化することにより、冷却通路内を占める電源ラインによる冷気の流れに対する流体抵抗が増加するだけではなく、そこを流れる冷気の流れに乱れを与える原因となり、冷気の円滑な流れを阻害する虞があった。  
【０００６】
本発明は、このような問題点に着目してなされたもので、冷却通路に延びる電源ラインを簡素化して配置し、冷却通路を流れる冷気の流れを円滑にできるショーケースを提供することを目的とする。
【課題を解決するための手段】
【０００７】
前記課題を解決するために、本発明のショーケースは、
複数段の棚板と、前記複数段の棚板に設けられた複数の照明器具と、前記複数の棚板の背面側に設けられる背壁と、前記背壁の背面側に設けられた冷却通路と、を備えたショーケースにおいて、
前記冷却通路内の所定領域において、電源から延びる所定本数の電源ラインが冷気の流れ方向に沿って延設されるとともに、前記背壁には、前記電源ラインの複数箇所から前記背壁を貫通して前記各照明器具に電源を供給する導電端子を持つコネクタが設けられており、
前記導電端子は渡り端子であり、前記渡り端子の端部に一方向に向けて接続される電源ラインと、前記一方向とは反対の他方向に向けて接続される電源ラインがそれぞれ略直交して設けられることを特徴としている。
この特徴によれば、冷却通路内の所定の領域において、電源から延びる電源ラインが所定本数になっているため、電源ラインの太さが冷却通路内で区々に変化することがなく、加えて、各電源ラインが冷気の流れ方向に沿って設けられているため、電源ラインによる冷気流の乱れ現象を排除できる。また、電源側において電源ラインが太くなることがなく、冷却通路内を占める電源ラインによる流体抵抗を抑制することができる。また、背壁に電源ラインを略平行に配置することができ、導電端子の延在方向への膨出を少なくでき、冷却通路における冷気の流れを阻害する虞が少ない。
【０００８】
前記所定本数の電源ラインが、前記冷却通路においてほぼ直線状に延設されるとともに、前記電源ラインは前記各照明器具に電源を供給する導電端子を持つコネクタにより前記背壁に固定されている
ことを特徴としている。
この特徴によれば、電源ラインは直線状に延設され、各照明器具に電源を供給する導電端子を持つコネクタにより前記背壁に固定されているため、電源ラインの直線的延在方向が冷気の流れ方向に沿うこととなり、流れ方向には交差しないため、冷気の流れを乱すことが少なくなる。
【０００９】
前記コネクタは、前記電源ラインを延設方向に沿った状態で固定できる固定部材を備えている
ことを特徴としている。
この特徴によれば、固定部材に対して、電源ラインを延設方向に沿った状態で固定部できるため、冷却通路内の冷気の流れによって電源ラインが揺れることを防止でき、冷気流の乱れを確実に抑制することができる。
【００１０】
前記固定部材には、前記電源ラインの延設方向に沿って取付溝が形成されている
ことを特徴としている。
この特徴によれば、電源ラインを取付溝に挿入することにより電源ラインの方向を拘束できるため、電源ラインの固定及び配線が容易となる。
【００１２】
本発明のショーケースは、
前記電源がＤＣ電源であるとともに、前記照明器具がＤＣ入力型のＬＥＤランプである
ことを特徴としている。
この特徴によれば、電源ラインにはＬＥＤランプ用の直流が供給されものであるから、ＬＥＤランプ側には交流を直流に変換するコンバータを設ける必要がなく、物品を載置する棚板側の空間を広く確保できる。
【図面の簡単な説明】
【００１３】
【図１】実施例におけるオープンショーケースを示す斜視図である。
【図２】実施例におけるオープンショーケースの横断面図である。
【図３】実施例における背壁の前面側の電源側ソケットからＬＥＤランプ側プラグを外した状態を示す図である。
【図４】実施例における背壁の背面側の電源ライン及び電源側ソケットの接続状態を示す図である。
【図５】実施例における電源側ソケット及び電源ラインを示す斜視図であり、（ａ）は平面図、（ｂ）は右側面図である。
【図６】図５における電源側ソケットから蓋を外した状態を示す斜視図である。
【図７】図６において電源側ソケットに電源ライン及び導電端子を装着した平面図である。
【図８】図５における電源側ソケットの断面図である。
【図９】図５における電源側ソケットの正面図である。
【図１０】図５における電源側ソケットの蓋の裏面図である。
【図１１】図５における電源側ソケットに装着する導電端子を説明する図であり、（ａ）は正面図、（ｂ）は右側面図、（ｃ）はかしめ部分を示すＢ−Ｂ線断面図である。
【発明を実施するための形態】
【００１４】
本発明に係るショーケースを実施するための形態を実施例に基づいて以下に説明する。
【実施例】
【００１５】
実施例に係るショーケースにつき、図１から図１１を参照して説明する。以下、図２の左側をオープンショーケース１（ショーケース）の正面側（前方側）、同様に右側を背面側（後方側）として説明する。
【００１６】
図１、２に示されるように、オープンショーケース１は、主に商店やスーパーマーケットやコンビニエンスストア等の食品等の商品を取り扱う販売店舗に設置され、商品を低温に保ったまま保冷、又は冷凍した状態で陳列するために設置される冷凍・冷蔵ショーケースであり、正面側を開口した内箱３により囲まれた保冷室５には、商品を陳列する棚板６が上下方向に複数（４段）設置され、下部に設けられた底部３ｂにも商品（図示省略）を陳列可能になっており、商品を多数載置可能な構成となっている。
【００１７】
オープンショーケース１は、前面（図の左方）が開放された略コ字形をなす断熱構造の外箱２と、その内方の、同じく前面が開放された略コ字形をなす内箱３とからなるケース本体を備え、その内部空間は保冷室５となっている。内箱３の内、複数段の棚板６の背面側に位置する背壁３ａには、前後に延びるブラケット１７の後端が取付けられており、ブラケット１７の上に棚板６が配設されている。これら各棚板６と内箱３の底部３ｂとの上面に、商品（図示略）が陳列されるようになっている。
【００１８】
外箱２と内箱３との間には、冷却通路７が形成され、この冷却通路７の底部通路７Ａ及び背面通路７Ｂには、それぞれ送風機８と冷却装置９が設置されている。ケース本体の上部の前端には、冷却通路７の上部通路７Ｃと連通する冷気吹出口１０が下向きに形成され、またケース本体の前端下部の上端には、上方に開口する冷気の吸込口１１が形成されている。
【００１９】
送風機８を作動させると、冷却装置９により冷却された冷気は、矢印のように、冷却通路７の背面通路７Ｂ内を上方に向かって流れ、冷気吹出口１０より、下方の吸込口１１に向かって吹き出される。これにより、ケース本体の前面の開放面に冷気のエアカーテン１２が形成されるとともに、その冷気の一部が保冷室５内に流入することにより、陳列商品が保冷される。
【００２０】
オープンショーケース１には、冷気吹出口１０よりも前方側に張り出したキャノピー１３の下面に取付けられたＬＥＤランプ１４と、最上段の棚板６の上方に取付けられたＬＥＤランプ１５と、棚板６の前方下方のランプホルダ２１に取り付けられ、左右方向に２本並べて配置された計８本のＬＥＤランプ２０（照明器具）とを備えている。
【００２１】
ＬＥＤランプ２０は、ＤＣ直接入力型かつ線状の形状であり、その一端に設けられたランプ端子（図示しない）にランプ側ソケット（図示しない）が接続されて電源が供給される構造となっている。ＬＥＤランプ側ライン２２は、一端にランプ側ソケットが設けられ、他端にプラグ２４が設けられている。また、ＬＥＤランプ側ライン２２は、棚板６の下面に沿って配置され、棚板６の背壁３ａ近傍に設けられたフック２３に引っ掛け下方に引き出され、他端に設けられたプラグ２４が背壁３ａに設けられた電源側ソケット３０（コネクタ）に接続可能に構成されている。電源側ソケット３０は導電端子５１以外は電気絶縁性に優れる合成樹脂により形成されている。
【００２２】
電源側ソケット３０から延びる電源ライン５０は背壁３ａの背面側に配線され、下方に延び、ケース本体の外部下方に設けられた電源６０に接続されている。電源６０は、商用交流電源６３にライン６２で接続されており、ＡＣ／ＤＣコンバータ６１により交流を直流に変換して電源ライン５０に供給するように構成されている。また、送風機８、冷却装置９、ＬＥＤランプ１４、１５の電源については周知のものと同様であるため、その説明を省略する。電源ライン５０に直流が供給されるため、ＬＥＤランプ２０側にＡＣ／ＤＣコンバータが不要で小型化が可能であり、保冷室５を広く確保できる。また、ＬＥＤランプ２０に直流を供給するため、蛍光灯に供給する交流に比べて、供給する電力が少なく、電源ライン５０を細くでき、また電源ライン２０による発熱量も少ない。
【００２３】
図３に示されるように、プラブ２４はＬＥＤ側ライン２２から各々電気的に接続されたピン状の正端子２４ａ、負端子２４ｂ、アース端子２４ｃが略正三角形の配置で突出しており、これら正端子２４ａ、負端子２４ｂ、アース端子２４ｃの周りに円筒部２４ｅが設けられている。
【００２４】
電源側ソケット３０は、背壁３ａの開口（図示しない）に前方から挿入され、リブ３５と係止爪３２，３２によりこの開口に固定されている（すなわち背壁３ａを貫通して設けられている。）。プラグ２４が接続されるコネクタ部３３には、プラグ２４の正端子２４ａ、負端子２４ｂ、アース端子２４ｃがそれぞれ挿入される、孔３３ａ、３３ｂ、３３ｃが設けられるとともに、プラグ２４の円筒部２４ｅが挿入される溝３３ｅが筒状の円筒部３３ｆとベース３１との間に設けられている。ここで、ベース３１と円筒部３３ｆの底面の前後方向高さ（図３における紙面に直交する方向の高さ）は略同一である。
【００２５】
電源側コネクタ３０にプラグ２４を接続する際には、プラグ２４の円筒部２４ｅの内面のガイド突起２４ｄを、コネクタ部３３の円筒部３３ｆのガイド溝３３ｄに合わせた状態で、プラグ２４の円筒部２４ｄの先端がコネクタ部３３の溝３３ｅの底に当接するまで挿入することにより、正端子２４ａ、負端子２４ｂ、アース端子２４ｃが孔３３ａ、３３ｂ、３３ｃの背面側に設けられた、電源ソケット３０側の端子５１ａ、５１ｂ、５１ｃ（図８、１１：棚板６側に表出している）に圧入されて電気的に接続される。
【００２６】
ベース３１には、保護キャップ３４が設けられており、電源側コネクタ３０にプラグ２４を接続しない状態において、保護キャップ３４を溝３３ｅに挿入保持することで、電源側コネクタ３０への塵埃の浸入が防止される。また、保護キャップ３４を使用しない状態では、保護キャップ３４を溝３３ｅの外周と同形状の凹部３７（図８）が形成された保護キャップ保持部３６（図５）に保持しておくこと（図３）により、保護キャップ３４の紛失を防止できる。
【００２７】
図１、図４に示されるように、４つの電源側ソケット３０が棚板６に対応して背壁３ａに上下方向に４箇所設けられている。電源ライン５０は、直線状かつ上下方向（図４において矢印で示される冷気の流れ方向）に延在され、各電源側ソケット３０の電源側本体部４０間に接続されている。電源側本体部４０間の電源ライン５０は冷却通路７の背面通路７Ｂに曝された状態で位置している、すなわち電源側本体部４０及び電源ライン５０は背面通路７Ｂ内に配置されている。
【００２８】
最下方の電源側ソケット３０には、電源６０に接続され直流が供給される電源ライン５０ａ１（正側電源ライン）、５０ｂ１（負側電源ライン）、５０ｃ１（アースライン）が接続されている。最下方と下から２番目の間の電源側ソケット３０、３０との間は、電源ライン５０ａ２、５０ｂ２、５０ｃ２が渡り配線により接続されている。下から２番目と下から３番目の間の電源側ソケット３０，３０との間は、電源ライン５０ａ３、５０ｂ３、５０ｃ３が渡り配線により接続されている。下から３番目と最上方の間の電源側ソケット３０，３０との間は、電源ライン５０ａ３、５０ｂ３、５０ｃ３が渡り配線により接続されている。なお、最下方の電源側ソケット３０から下方に接続される電源ライン５０ａ１、５０ｂ１、５０ｃ１は、下方に延び、その後背壁３ａ下端付近で右側に折れ曲がり、ケース本体の側壁付近で再度下方に折れ曲がり、下側通路７Ａと背面通路７Ｂとの境界付近を下方に延び、ケース本体外に引き出され、電源６０に接続されている。
【００２９】
このように、棚板６の配置位置に対応する背面通路７Ｂにおける領域（所定の領域）において、電源６０から延びる電源ライン５０が背面通路７Ｂの冷気の流れ方向と同方向である上下方向に延設されその本数が３本（所定本数）になっているため、各電源ライン５０の合計の太さが背面通路７Ｂで区々に変化することがない。また、各電源ライン５０が冷気の流れ方向に沿って設けられているため、電源ライン５０による冷気流の乱れ現象を排除できる。また、電源６０側において電源ライン５０の合計の太くなることがなく、冷却通路内を占める電源ラインによる流体抵抗を抑制することができる。
【００３０】
先ず導電端子５１について図１１を参照して説明する。導電端子５１は１枚の銅板を打ち抜いたものを曲げ加工により形成されている。プラグ２４のピン２４ａ、２４ｂ、２４ｃが圧入されて電気接続される断面トンネル形状のピン接続部５２と、導電端子５１の組み込み時のガイドをする一対の突起５３、５３と、電源ライン５０、５０をかしめて電気接続するかしめ部５４、５４とから構成されている。
【００３１】
ピン接続部５２は、底部５２Ｂと、底部５２Ｂの両側から直交して立上りその後４分円弧が連なる左側面５２Ｌ、右側面５２Ｒにより断面トンネル形状に形成されている。一対の突起５３Ｌ、５３Ｒは、底部５２Ｂから両側に直交して立上り、その高さはピン接続部５２よりも高く形成されている。かしめ部５４Ｌ、５４Ｒは、電源ライン５０、５０をそれぞれかしめて接続するもので、その段面形状は、かしめ前は略Ｕ字形状をなし、かしめ後は略β字形状をなしている。
【００３２】
次に電源側本体部４０の具体的構成について説明する。図５、９に示されるように、電源側本体部４０は、ベース３１から立設して延びる略提灯形状（平面視で、一対の対向するコ字状部の間を互いに離れる方向に向いた一対の円弧により接続された形状）の側壁部４２、側壁部４２の開放部を覆う蓋部４１及び蓋部４１と反対側かつ側壁部４２の内側に設けられたコネクタ部３３（図３）によりその外郭が形成されている。
【００３３】
図６から図９を参照して、電源側本体部４０の導電端子５１が取り付けられる内部構造について説明する。側壁部４２の背面側（蓋部４１側）に、一対の略円弧状の部分から背面側に突出して設けられ蓋部４１の裏面が当接する一対の略円弧状の凸部４２Ａと、一対の略円弧状の凸部４２Ａ間に設けられる一対の直線状の凸部４２Ｂが設けられている。一対の直線状の凸部４２Ｂには、電源ライン５０を保持する断面半円形の取付溝４２Ｂａ、４２Ｂｂ、４２Ｂｃが設けられ、これらの取付溝４２Ｂａ、４２Ｂｂ、４２Ｂｃは電源側ソケット３０を背壁３ａに取り付けた状態で上下方向に延在している。
【００３４】
円筒部３３ｆの内側（蓋部４１側）には、凹部４３が設けられており、凹部４３内には、正側導電端子５１ａ、負側導電端子５１ｂ、アース導電端子５１ｃを取り付ける端子取付部４４ａ、４４ｂ、４４ｃが形成されている。端子取付部４４ａ、４４ｂ、４４ｃ、電源ライン５０ａ、５０ｂ、５０ｃ、正側導電端子５１ａ、負側導電端子５１ｂ、アース導電端子５１ｃ及びこれらの固定は、正側、負側、アースでほぼ同様の構成であるため、以降の説明では、アースに関するものについて説明し、必要に応じて正側及び負側のものについて説明する。
【００３５】
端子取付部４４ｃは、底面側の凹部４４ｃ１と蓋部４１側の凹部４４ｃ２の２段の凹部から形成され、底面側の凹部４４ｃ１の底面には上述した孔３３ｃ（図３、８）が設けられている。底面側の凹部４４ｃ１は、アース導電端子５１ｃのピン接続部５２ｃ（図１１（ｂ））の外郭に沿った断面トンネル形状（図６）に形成されている。また、トンネル形状の底の面は、電源ライン５０ｃ、５０ｃと略平行となる方向に形成されており、電源ライン５０ｃ、５０ｃが接続されたアース導電端子５１ｃを底面側の凹部４４ｃ１に挿入して取り付けることにより、電源ライン５０ｃ、５０ｃを上下方向に配置することができかつ電源ライン５０ｃ、５０ｃをアース導電端子５１ｃの延在方向に膨出させなくできる。
【００３６】
蓋部４１側の凹部４４ｃ２は断面略正方形（図６）でありかつ底面側の凹部４４ｃ１よりも大きな断面を有し、蓋部４１側の凹部４４ｃ２から底面側の凹部４４ｃ１にかけて段部４４ｃ３が形成されている。アース導電端子５１ｃを凹部４４ｃに挿入する場合、アース導電端子５１ｃのピン接続部５２を底面側の凹部４４ｃ１を挿入するとピン接続部５２が底面に当接して、深さ方向が位置決めされる。
【００３７】
アース導電端子５１ｃは一対のかしめ部５４Ｌ、５４Ｒに電源ライン５０ｃ、５０ｃをそれぞれかしめて接続されている。電源ライン５０ｃ、５０ｃは、かしめ部５４Ｌ、５４Ｒ（図１１（ｃ））の先端において、互いに反対方向でかつアース導電端子５１ｃの軸方向に直交する方向に延在して接続配置されている。すなわち、アース導電端子５１ｃと電源ライン５０ｃ、５０ｃにより、略Ｔ字形状となるように配置されている。したがって、電源ライン５０ｃ、５０ｃが背面側、すなわち冷却通路７の背面通路７Ｂに膨出する高さを低くすることができる。
【００３８】
図６に示される電源側本体部４０に、アース導電端子５１ｃに略直交して接続された電源ライン５０ｃ１、５０ｃ２を装着して図７に示される状態にするには、上述したように、アース導電端子５１ｃを端子取付部４４ｃに挿入して取り付けるとともに、上方（図６における上方）及び下方の電源ライン５０ｃ、５０ｃを凸部４２Ｂ、凸部４２Ｂに設けられた取付溝４２Ｂｃ，取付溝４２Ｂｃに取り付けることで位置決め保持される。なお、下方の電源ライン５０ｃ１は一対の絶縁壁４５ｄ、４５ｅによっても位置決め保持されている。ここで、下方の電源ライン５０ａ１、５０ｂ１については、絶縁壁４５ｄ、４５ｅによって左右の片側のみが位置決めされている。
【００３９】
図７に示される状態から、蓋部４１を側壁部４２に被せて固定することにより、図８、９に示される固定状態となる。蓋部４１には、凸部４２Ｂの取付溝４２Ｂａ、４２Ｂｂ、４２Ｂｃに対向して上下方向に延びる断面半円形の取付溝４１Ｂａ、４１Ｂｂ、４１Ｂｃが設けられており、これらの取付溝により、電源ライン５０ａ、５０ｂ、５０ｃが挟持されて固定される。このように、電源側ソケット３０の取付溝４１Ｂａ、４１Ｂｂ、４１Ｂｃ及び蓋部４１の取付溝４１Ｂａ、４１Ｂｂ、４１Ｂｃによって電源ライン５０は上下方向に固定されるため、電源ライン５０が冷却通路７に曝されても冷気の流れによって電源ライン５０が揺れることにより冷気の流れを乱すことを抑制することができる。また、固定する構造が取付溝４１Ｂａ、４１Ｂｂ、４１Ｂｃ、４２Ｂａ、４２Ｂｂ、４２Ｂｃであるから、電源ライン５０の固定が簡単であり配線がしやすい。また、固定部材である取付溝４１Ｂａ、４１Ｂｂ、４１Ｂｃ、４２Ｂａ、４２Ｂｂ、４２Ｂｃに対して、電源ライン５０ａ、５０ｂ、５０ｃを延設方向に沿った状態で固定部できるため、背面通路７Ｂ内の冷気の流れによって電源ライン５０ａ、５０ｂ、５０ｃが揺れることを防止でき、冷気流の乱れを確実に抑制することができる。
【００４０】
また、側壁部４２の凸部４２Ａ、凸部４２Ｂに接着剤（図示しない）を塗布して蓋部４１を固定することが好ましい。接着剤を用いることで蓋部４１を側壁部４２に確実に固定できるとともに、電源ライン５０を電源側コネクタ３０に確実に固定することができる。さらに、接着剤がシーリング剤として作用して、電源側コネクタ３０の凹部４３に冷却通路７の冷気及び塵埃が入り込むことを防止できる。
【００４１】
また、蓋部４１の前面（内側の面）には、電源ライン５０ａ、５０ｂ、５０ｃの側部に当接して、電源ライン５０ａ、５０ｂ、５０ｃの左右方向の位置を規制する突起４１Ｃａ、４１Ｃｂ、４１Ｃｃが設けられている。このように突起４１Ｃａ、４１Ｃｂ、４１Ｃを設けることで、電源ライン５０ａ、５０ｂ、５０ｃの位置決め及び固定が確実となる。
【００４２】
以上、本発明の実施例を図面により説明してきたが、具体的な構成はこれら実施例に限られるものではなく、本発明の要旨を逸脱しない範囲における変更や追加があっても本発明に含まれる。
【００４３】
例えば、前記実施例では、以下のようにしてもよい。
電源６０を配置する位置として、ケース本体の外部下方の位置について説明したが、ケース本体の上方やケース本体の側方など、下方以外の位置であってもよい。
【００４４】
また、電源ラインとして、正側電源ライン５０ａ、負側電源ライン５０ｂ及びアースライン５０ｃを有するものについて説明したが、アースラインは必須ではなく、正側電源ライン及び負側電源ラインのみ（この場合所定本数は２本である）を有するものであってもよい。
【００４５】
また、ＬＥＤランプ２０はＤＣ直接入力型のものについて説明したが、ＬＥＤランプ内にＡＣ／ＤＣコンバータを備えたものであってもよい。この場合には、電源ラインには交流が供給される。さらに、照明器具は、ＬＥＤランプに限らず、他のランプ例えば放電灯であってもよい。
【００４６】
また、送風機８と冷却装置９を配置する場所は底部通路７Ａ及び背面通路７Ｂに限らず他の場所であってもよい。
【００４７】
また、電源ライン５０が冷却通路７の背面通路７Ｂに露出して配置される例について説明したが、電源ライン５０を断面Ｕ字又はコ字状のカバーによって覆うものであってもよい。この場合には、電源ライン５０は上下方向に少なくとも２本（実施例では３本）延びるのみであり。占有空間が小さいから、カバーも小さくすることができ、背面通路７Ｂの冷気の流路空間をほとんど圧迫しない。
【００４８】
また、導電端子５１のピン接続部５２を凹部４４ｃ１の底部に当接させて深さ方向の位置決めをする例について説明したが、ピン接続部５２の長さを凹部４４ｃ１の深さよりも短く構成し、ピン接続部５２が凹部４４ｃ１の底部に当接する前に、一対の突起５３Ｌ、５３Ｒが段部４４ｃ３の背面（蓋部４１側の面）に当接し深さ方向が位置決めされるようにしてもよい。
【００４９】
また、電源ライン５０を側壁部４２の断面半円形の取付溝４２Ｂａ、４２Ｂｂ、４２Ｂｃと蓋部４１の断面半円形の取付溝４１Ｂａ、４１Ｂｂ、４１Ｂｃにより挟持して接着剤により固定する例について説明したが、固定する手段として、接着剤に代えてネジ、バヨネット、爪等による手段であってもよい。また、側壁部４２及び蓋部４１のいずれか一方のみに断面Ｃ字状の取付溝を設け、取付溝に電源ライン５０を圧入して固定するものであってもよく、この場合には電源ラインの固定及び配線が容易となる。さらにまた、電源ライン５０を固定する手段としては、上述の他、フックによる固定、ネジによる固定等他の手段であってもよく、電源ラインが固定され電源側ソケットが背壁に取り付けられた状態で、電源ラインが冷気の流れに沿う方向に固定することが好ましい。
【００５０】
また、電源側ソケット３０とＬＥＤランプ２０とは、電気的に並列に接続する場合について説明したが、電源側ソケット３０とＬＥＤランプ２０とを電気的に直列接続するものであってもよい。
【００５１】
また、電源側コネクタがソケット、ＬＥＤランプ側コネクタがプラグである場合について説明したが、電源側コネクタがプラグ、ＬＥＤランプ側コネクタがソケットであってもよい。また、他の接続形態であってもよい。
【符号の説明】
【００５２】
１                              オープンショーケース（ショーケース）
３                              内箱
３ａ                            背壁
６                              棚板
７                              冷却通路
７Ｂ                            背面通路
２０                            ＬＥＤランプ（照明器具）
２４                            プラブ
３０                            電源側ソケット（コネクタ）
３３                            コネクタ部
４０                            電源側本体部
４１                            蓋部
４１Ｂ                          凸部
４１Ｂａ、４１Ｂｂ、４１Ｂｃ    取付溝
４２                            側壁部
４２Ｂ                          凸部
４２Ｂａ、４２Ｂｂ、４２Ｂｃ    取付溝
５０                            電源ライン
５０ａ                          正側電源ライン
５０ｂ                          負側電源ライン
５０ｃ                          アースライン
５１                            導電端子
５１ａ                          正側導電端子
５１ｂ                          負側導電端子
５１ｃ                          アース導電端子
６０                            電源
６１                            ＡＣ／ＤＣコンバータ
【図１】
0006482246.tif 000002
【図２】
0006482246.tif 000003
【図３】
0006482246.tif 000004
【図４】
0006482246.tif 000005
【図５】
0006482246.tif 000006
【図６】
0006482246.tif 000007
【図７】
0006482246.tif 000008
【図８】
0006482246.tif 000009
【図９】
0006482246.tif 000010
【図１０】
0006482246.tif 000011
【図１１】
0006482246.tif 000012